(57)【要約】      （修正有）【課題】めがねフレームのヨロイやテンプルに、個人の好みによる装飾を直接に刻印するか、あるいは、該装飾をサンゴ片上に刻印してヨロイやテンプルに装着することでめがねを個性的なものとすることができる装飾めがねフレームを提供する。【解決手段】装飾を刻設するヨロイ２は、リム３側を広く、テンプル４側を狭く形成する。当該ヨロイ２の表面に、紋章、十二支の紋様或いはペット等個人好みの装飾１を刻設したサンゴ５を装着する。サンゴ５の形状等に限定を受けるものではない。また装着方法としてはねじ止め、ピン止め、接着等があげられる。さらに、装飾１は、テンプル４又はヨロイ２に、直接刻印しても良い。【選択図】図１
0003149221.tif 000002
【実用新案登録請求の範囲】
【請求項１】
めがね枠のヨロイ部分又はテンプル表面に個人の好みの図柄、或いは個人を主張し得る図柄等からなる装飾を施したことを特徴とする装飾めがねフレーム。
【請求項２】
前記めがねフレームのヨロイ部分又はテンプル表面に施す装飾が、サンゴに個人の好みの図柄、或いは個人を主張し得る図柄からなる装飾を刻設したものであることを特徴とする請求項１の装飾めがねフレーム。
【請求項３】
前記めがねフレームのヨロイ部分又はテンプル表面に施す装飾が、当該ヨロイ部分又はテンプル表面に個人の好みの図柄、或いは個人を主張し得る図柄からなる装飾を直接に刻設したものであることを特徴とする請求項１の装飾めがねフレーム。
【請求項４】
前記装飾が、家紋等を刻設したものであることを特徴とする請求項１の装飾めがねフレーム。
【請求項５】
前記装飾が、十二支の図柄或いはペット等個人好みの図柄を刻設したものであることを特徴とする請求項１の装飾めがねフレーム。
【請求項６】
前記装飾が、氏名を刻設したサンゴであり、当該サンゴをテンプルに装着したことを特徴とする請求項１の装飾めがねフレーム。
【考案の詳細な説明】
【技術分野】
【０００１】  本考案は、装飾めがねフレームに関するものである。
【背景技術】
【０００２】  従来よりめがねフレーム、特にヨロイ部分に天然石や人工石等の装飾部材を装着しているものはよく見かける。出願人もサンゴの装飾部材をヨロイ部分に装着したものを勘案し登録意匠９７２３５８号として登録されている。これらは装飾効果としては充分な効果を得ているが、装飾部材は個人の好みが多様であり、装飾部材となる宝石、サンゴ等はその色彩、形状等、購入者が好みによって選べることが理想であるにもかかわらず、メーカーが装着しているものの中から選んで購入しなければならないのが実情である。【０００３】  従って、めがねフレームに取り付ける装飾部材で、購入者が、自分の好みに合致したものを選ぶことは困難であり、また、その装飾によって個人を主張できるような装飾部材は皆無であった。
【考案の開示】
【考案が解決しようとする課題】
【０００４】  めがねフレームに単に宝石等の装飾部材を装着するのではなく、ヨロイ、テンプル等に装着し或いは直接に刻設する装飾が個人の好みによる装飾或いは個人を主張し得る装飾を刻設したものとすること、これが、考案が解決しようとする課題である。
【課題を解決するための手段】
【０００５】  めがねフレームに単に宝石等の装飾部材を装着するのではなく、ヨロイ、テンプル等にサンゴに個人を主張し得る図柄或いは個人の好みの図柄を刻設したものを装着、或いはヨロイ、テンプル等に直接に装飾を刻設すること、これが、課題を解決するための手段である。
【考案の効果】
【０００６】  本考案は、めがねフレームのヨロイ部分又はテンプル表面に個人の好みの図柄、或いは個人を主張し得る図柄等からなる装飾を刻設したことを特徴とする装飾めがねフレームであり、更には前記めがねフレームのヨロイ部分又はテンプル表面に刻設する装飾が、サンゴに個人の好みの図柄、或いは個人を主張し得る図柄からなる装飾を刻設したものであり、更には前記装飾がヨロイ部分又はテンプル表面に個人の好みの図柄、或いは個人を主張し得る図柄からなる装飾を直接に刻設したものであり、更には前記装飾が、家紋等を刻設したものであり、更には、前記装飾が、十二支の図柄或いはペット等個人好みの図柄を刻設したものであり、更には、前記装飾が、氏名を刻設したサンゴであり、当該サンゴをテンプルに装着したことを特徴とする装飾めがねフレームであるから、装飾を家紋としたり、十二支の図柄或いはペット等個人好みの図柄からなる装飾を刻設すること、またテンプルに氏名を刻設することで、個人を主張し、個人の好みを満足させることができる。しかも装飾をサンゴに刻設したものを装着すれば華美であり且つ豪華である。その上ヨロイ部分又はテンプル表面に直接に刻設したものにあっては、装飾が脱落したりする憂いはない、また刻設は小さな装置で施すことが可能であるので、眼鏡店においても大きな費用をかけることなく刻設することができる等、きわめて実用的な顕著なる効果を有するものである。
【考案を実施するための最良の形態】
【０００７】  めがね枠フレームのヨロイ部分又はテンプル表面に個人の好みの図柄、或いは個人を主張し得る図柄等からなる装飾を刻設したことを特徴とする装飾めがねフレームであり、更には前記めがねフレームのヨロイ部分又はテンプル表面に刻設する装飾が、サンゴに個人の好みの図柄、或いは個人を主張し得る図柄からなる装飾を刻設したものであり、更には前記装飾がヨロイ部分又はテンプル表面に個人の好みの図柄、或いは個人を主張し得る図柄からなる装飾を直接に刻設したものであり、更には前記装飾が、家紋等を刻設したものであり、更には、前記装飾が、十二支の図柄或いはペット等個人好みの図柄を刻設したものであり、更には、前記装飾が、氏名を刻設したサンゴであり、当該サンゴをテンプルに装着したことを特徴とする装飾めがねフレームを呈せんとするものである。
【実施例１】
【０００８】  装飾を刻設するヨロイ２は、図１に示すように、リム３側を広く、テンプル４側を狭く形成する。当該ヨロイ２の表面に、紋章、十二支の紋様或いはペット等個人好みの装飾１を刻設したサンゴ５を装着する。サンゴ５の形状等に限定を受けるものではない。また装着方法としてはねじ止め、ピン止め、接着等があげられる。【０００９】  当該ヨロイ２の表面に、図２に示すように紋章、十二支の紋様或いはペット等個人好みの装飾１を直接に刻設する。【００１０】  ヨロイ２を同じくリム３側を広く、テンプル４側を狭くした二股状とした場合は、図３に示すように、二股６の中間部に橋絡部７を設け、当該橋絡部７に紋章、十二支の紋様或いはペット等個人好みの装飾１を直接に刻設するか、サンゴ５に刻設したものを装着する。【００１１】  テンプル４の表面に氏名８等を刻設したサンゴ５装着する。この際、ヨロイ部分２に装飾１を施した上で、当該テンプル４に氏名８を施してもよく、また装飾１はなしにテンプル４の氏名８だけ施してもよい。【００１２】  図４に示すようにテンプル４の表面に氏名８を直接に刻設する。装飾１はなしにテンプル４に氏名８だけを刻設してもよい。【００１３】  前記ヨロイ２の装飾１部分或いはテンプル４の氏名８部分を直接に刻設する場合は、当該刻設部に色彩を施すことも可能である。
【産業上の利用可能性】
【００１４】  めがねフレームのヨロイ部分２又はテンプル４表面に個人の好みの図柄、或いは個人を主張し得る図柄等からなる装飾１を刻設したことを特徴とする装飾めがねフレームであり、更には前記めがねフレームのヨロイ部分２又はテンプル４表面に刻設する装飾１が、サンゴ５に個人の好みの図柄、或いは個人を主張し得る図柄からなる装飾１を刻設したものであり、更には前記装飾１がヨロイ部分又はテンプル表面に個人の好みの図柄、或いは個人を主張し得る図柄からなる装飾１を直接に刻設したものであり、更には前記装飾１が、家紋等を刻設したものであり、更には、前記装飾１が、十二支の図柄或いはペット等個人好みの図柄を刻設したものであり、更には、前記装飾１が、氏名８を刻設したサンゴ５であり、当該サンゴ５をテンプル４に装着したことを特徴とする装飾めがねフレームであるから、装飾を家紋としたり、十二支の図柄或いはペット等個人好みの図柄からなる装飾１を刻設すること、またテンプル４に氏名８を刻設することで、個人を主張し、個人の好みを満足させることができる。しかも装飾１をサンゴ５に刻設したものを装着すれば華美であり且つ豪華である。その上ヨロイ部分２又はテンプル４表面に直接に刻設したものにあっては、装飾１が脱落したりする憂いはない、また刻設は小さな装置で施すことが可能であるので、眼鏡店においても大きな費用をかけることなく刻設することができるし、サンゴ業界の発展にも大いに寄与できる等、産業上での利用可能性は極めて大きいものがある。
【図面の簡単な説明】
【００１５】
【図１】  サンゴに装飾を施しためがねフレームの部分斜視図
【図２】  他の実施例のめがねフレームの部分斜視図
【図３】  サンゴに氏名を刻設したヨロイ及びテンプルの斜視図
【図４】  他の実施例のヨロイ及びテンプルの斜視図
【符号の説明】
【００１６】１  装飾
２  ヨロイ
３  リム
４  テンプル
５  サンゴ
６  二股
７  橋絡部
８  氏名
【図１】
0003149221.tif 000003
【図２】
0003149221.tif 000004
【図３】
0003149221.tif 000005
【図４】
0003149221.tif 000006